(57)【要約】【課題】  モータファンシュラウドの性能を低下させることなく、モータファンシュラウドの内側に設けられた電子部品が過大に発熱するのを抑えることができるモータファンシュラウドの提供。【解決手段】  熱交換器とモータファンの周りとの間を塞ぐように配置される樹脂製のモータファンシュラウドＡであって、モータファンシュラウドＡの内側に、電子部品６等の発熱体を設置すると共に、該発熱体の周囲の空気をモータファン側へ導く第１のリブ7a,7bを形成した。【選択図】      図１
2006090243.tif 000002
【特許請求の範囲】
【請求項１】
熱交換器とモータファンの周りとの間を塞ぐように配置される樹脂製のモータファンシュラウドであって、
前記モータファンシュラウドの内側に、電子部品等の発熱体を設置すると共に、該発熱体の周囲の空気をモータファン側へ導く第１のリブを形成したことを特徴とするモータファンシュラウド。
【請求項２】
請求項１記載のモータファンシュラウドにおいて、
前記モータファンシュラウドの外側に、ファンステーの基部からモータファンシュラウドの固定部に亘って第２のリブを形成し、
前記第１のリブと第２のリブをモータファンシュラウドの内外方向に一致するように形成したことを特徴とするモータファンシュラウド。
【発明の詳細な説明】
【技術分野】
【０００１】
本発明は、自動車のラジエータやコンデンサなどの熱交換器に付設されるモータファンシュラウドの構造に関する。
【背景技術】
【０００２】
従来、自動車のラジエータやコンデンサなどの熱交換器は、モータファンで強制的に多量の空気をコアに通過させるようにしており、この際、モータファンで取り込んだ空気を側方へ逃がさないようにするため、モータファンの周りと熱交換器との間をモータファンシュラウドで覆って空気流をガイドするようにしている（例えば、特許文献１参照）。
【０００３】
また、前記モータファンの回転数はレジスター等の電子部品で制御されると共に、該電子部品は発熱するため、通常はモータファンシュラウドのファンステーに固定されている。
【特許文献１】特開２００３−２７８５４５号公報
【発明の開示】
【発明が解決しようとする課題】
【０００４】
しかしながら、従来のモータファンシュラウドにあっては、前記電子部品がファンステーに固定されるため、空気流の抵抗体となってモータファンの風量や騒音性能に悪影響を及ぼす虞がある。
【０００５】
そこで、前記電子部品をモータファンシュラウドの内側に設けた場合、電子部品の近傍の空気流が停滞して電子部品が過大に発熱したり、モータファンシュラウドの性能を低下させる要因になるという問題点があった。
なお、前記電子部品の設置位置は、搭載レイアウトの関係からモータファンの近傍に限定されており自由度が少ない。
【０００６】
本発明は上記問題点を解決するためになされたものであって、その目的とするところは、モータファンシュラウドの性能を低下させることなく、モータファンシュラウドの内側に設けられた電子部品が過大に発熱するのを抑えることができるモータファンシュラウドを提供することにある。
【課題を解決するための手段】
【０００７】
本発明の請求項１記載の発明では、熱交換器とモータファンの周りとの間を塞ぐように配置される樹脂製のモータファンシュラウドであって、前記モータファンシュラウドの内側に、電子部品等の発熱体を設置すると共に、該発熱体の周囲の空気をモータファン側へ導く第１のリブを形成したことを特徴とする。
【０００８】
請求項２記載の発明では、請求項１記載のモータファンシュラウドにおいて、前記モータファンシュラウドの外側に、ファンステーの基部からモータファンシュラウドの固定部に亘って第２のリブを形成し、前記第１のリブと第２のリブをモータファンシュラウドの内外方向に一致するように形成したことを特徴とする。
【発明の効果】
【０００９】
請求項１記載のモータファンシュラウドにあっては、モータファンシュラウドの内側に、電子部品等の発熱体を設置すると共に、該発熱体の周囲の空気をモータファン側へ導く第１のリブを形成したため、発熱体の周囲の空気が停滞するのを防止でき、これによりモータファンシュラウドの性能の低下を招くことなく発熱体の過大な温度上昇を抑えることができる。
【００１０】
請求項２記載のモータファンシュラウドにあっては、モータファンシュラウドの外側に、ファンステーの基部からモータファンシュラウドの固定部に亘って第２のリブを形成し、前記第１のリブと第２のリブをモータファンシュラウドの内外方向に一致するように形成したため、モータファンシュラウドの全体剛性を向上できる。
【発明を実施するための最良の形態】
【００１１】
以下、この発明の実施例を図面に基づいて説明する。
【実施例１】
【００１２】
以下、実施例１を説明する。
図１は本発明の実施例１のモータファンシュラウドの内側を説明する図、図２は同斜視図、図３はモータファンシュラウドの外側を説明する斜視図、図４は図２のＳ４−Ｓ４線における断面図、図５は図２のＳ５−Ｓ５線における断面図、図６は図２のＳ６−Ｓ６線における断面図である。
【００１３】
先ず、全体構成を説明する。
図１〜３に示すように、本実施例１のモータファンシュラウドＡは、図外の熱交換器とモータファンの周りとの間を覆うためのものであって、内側が開口した箱状に形成されると共に、全体が樹脂で一体的に形成されている。
また、モータファンシュラウドＡの内側には図外の熱交換器が付設され、その中央には図外のモータファンが収容される。
【００１４】
具体的には、前記モータファンシュラウドＡの中央にはファン開口部１が形成される他、該ファン開口部１に連続して外側へ円筒形状に突出したファンリング１１が形成されている。
さらに、ファンリング１１から中心に向かって複数のファンステー２ａ〜２ｆが延設されて結合されることにより、ここにモータファン本体を固定するためのファン固定部３が形成されている。
なお、本実施例のファンステー２ａ〜２ｆは、図４に示すように、外側に向かって開口するコ字状に形成されると共に、該コ字状の内部にリブＲが形成される他、該リブＲと直交するＲ１が形成されており、ファンステー２ａ〜２ｆの軽量化を図りつつ剛性が高められている。
【００１５】
また、モータファンシュラウドＡの上下両端部には、モータファンシュラウドを熱交換器に固定するための固定部４ａ〜４ｄが形成されている。
【００１６】
さらに、前記モータファンシュラウドＡの内側には、外側へ矩形状に凸となるように形成された収納部５が形成されており、ここにモータファンの制御を行うためのレジスター等の電子部品６（発熱体に相当）が配置されている。
なお、収納部５のモータファン側の側壁５ａは傾斜状に形成されている。
【００１７】
また、前記収納部５の両側には、板状の第１のリブ7a,7bが内側に突出した状態でそれぞれ形成されている。
【００１８】
前記モータファンシュラウドＡの外側には、ファンステー２ａ〜２ｄの基部から固定部４ａ〜４ｄに亘って外側へ突出した第２のリブ８ａ〜８ｄが形成されている。
【００１９】
前記第２のリブ８ａ〜８ｄは、ファンステー２ａ〜２ｄの基部から固定部４ａ〜４ｄに向かう４つの縦方向リブ９ａと、該４つの縦方向リブ９ａ〜９ｄと直交して連結する横方向のリブ９ｂから構成されており、これにより、モータファンシュラウドＡにおいて最も応力が集中しやすい固定部４ａ〜４ｄとファン固定部３の周囲の剛性が大幅に向上している。
【００２０】
さらに、図５、６に示すように、前記第２のリブ8a,8bにおける４つのリブ９ａの１つは、第１のリブ7a,7bとモータファンシュラウドＡの内外方向に一致しており、これにより、モータファンシュラウドの全体剛性が向上している。
【００２１】
以下、作用を説明する。
このように構成されたモータファンシュラウドにあっては、モータファン固定部３にモータファン本体を、収納部５に電子部品６をそれぞれ装着した後、固定部4c,4dを熱交換器の下方の取付孔（図示せず）に挿入した状態で、各固定部4a,4bの取付孔１０と熱交換器の上方の取付孔（図示せず）にボルトを挿入して締結することにより、モータファンシュラウドが熱交換器に付設される。
【００２２】
そして、前記電子部品６による制御によりモータファンが作動すると、モータファンによる強制風が、モータファンシュラウドＡをガイドにしながら熱交換器のコアに通過する。
この際、モータファンシュラウドＡの内側における電子部品６の周囲の空気は、図１の破線矢印で示すように第１のリブ7a,7bに沿ってモータファン側へスムーズに導かれた後、ファン開口部１から外側へ排出される。
【００２３】
また、電子部品６はモータファンシュラウドＡの外側へ矩形状に凸となるように形成された収納部５に設けられるため、空気流の抵抗体となる虞がない。
さらに、収納部５のモータファン側の側壁５ａは傾斜状に形成されているため、収納部５内の空気流は側壁５ａを乗り越えるようにモータファン側へスムーズに導かれる。
【００２４】
以下、効果を説明する。
本実施例のモータファンシュラウドにあっては、熱交換器とモータファンの周りとの間を塞ぐように配置される樹脂製のモータファンシュラウドＡであって、前記モータファンシュラウドＡの内側に、電子部品６等の発熱体を設置すると共に、該発熱体の周囲の空気をモータファン側へ導く第１のリブ7a,7bを形成したため、発熱体の周囲の空気流が停滞するのを防止でき、モータファンシュラウドＡの性能の低下を招くことなく発熱体の過大な温度上昇を抑えることができる。
【００２５】
また、モータファンシュラウドＡの外側に、ファンステー２ａ〜２ｄの基部からモータファンシュラウドＡの固定部４ａ〜４ｄに亘って第２のリブ８ａ〜８ｄを形成し、前記第１のリブ7a,7bと第２のリブ8a,8bをモータファンシュラウドＡの内外方向に一致するように形成したため、モータファンシュラウドＡの全体剛性を向上できる。
【００２６】
以上、本実施例を説明してきたが、本発明は上述の実施例に限られるものではなく、本発明の要旨を逸脱しない範囲の設計変更等があっても、本発明に含まれる。
例えば、本実施例では発熱体をレジスター等の電子部品としたが、電子部品以外の周辺部材を設置しても構わない。
また、第１及び第２のリブの形成位置、形成数、形状については適宜設定できる。
例えば、本実施例では第１のリブ7a,7bの２つとしたが、適宜本数を増やして、さらに空気流を効果的に流すようにしても良い。
【図面の簡単な説明】
【００２７】
【図１】本発明の実施例１のモータファンシュラウドの内側を説明する図である。
【図２】本発明の実施例１のモータファンシュラウドの内側を説明する斜視図である。
【図３】モータファンシュラウドの外側を説明する斜視図である。
【図４】図２のＳ４−Ｓ４線における断面図である。
【図５】図２のＳ５−Ｓ５線における断面図である。
【図６】図２のＳ６−Ｓ６線における断面図である。
【符号の説明】
【００２８】
Ａ  モータファンシュラウド
Ｒ、Ｒ１  リブ
１  ファン開口部
２ａ、２ｂ、２ｃ、２ｄ、２ｅ、２ｆ、２ｇ  ファンステー
３  ファン固定部
４ａ、４ｂ、４ｃ、４ｄ  固定部
５  収納部
５ａ  側壁
６  電子部品
７ａ、７ｂ  第１のリブ
８ａ、８ｂ、８ｃ、８ｄ  第２のリブ
９ａ  縦方向リブ
９ｂ  横方向のリブ
１０  取付孔
１１  ファンリング
【図１】
2006090243.tif 000003
【図２】
2006090243.tif 000004
【図３】
2006090243.tif 000005
【図４】
2006090243.tif 000006
【図５】
2006090243.tif 000007
【図６】
2006090243.tif 000008